(57)【要約】【課題】素早く着用することが可能で、さらにコンパクトに折りたたみ、背負いかばんへ装着し携行することができる雨具を提供する。【解決手段】背負いかばんに固定する装着手段１２を持ち、該背負いかばんを背負った状態で、展開させることが可能な持ち手１３が取着されていることを特徴とする。【選択図】図４
2019206766.tif 000002
【特許請求の範囲】
【請求項１】
背負いかばんに固定する装着手段を持ち、該背負いかばんを背負った状態で、展開させることが可能な持ち手が取着されていることを特徴とする雨具。
【請求項２】
前記雨具を折りたたんだ状態を保つが、前記持ち手により前記雨具を展開させる場合には離れる着脱可能な保持手段を持つことを特徴とする請求項1に記載の雨具。
【請求項３】
前記雨具を折りたたむ折り目の両側または片側に、前記雨具の生地よりも硬質な部材を取着させ、前記雨具を折りたたんだ状態の開口部を、前記持ち手が取着されている方向に設けることを特徴とする請求項２に記載の雨具。
【発明の詳細な説明】
【技術分野】
【０００１】
本発明は、素早く着用することが可能で、さらにコンパクトに折りたたみ、背負いかばんへ装着し携行することができる雨具に関するものである。
【背景技術】
【０００２】
従来より、体全体を覆って使用する雨よけの道具として、レインコートやレインポンチョなどが広く用いられてきた。ランドセルやリュックサックに装着し、鞄の中から取出す手間を省いたり、自宅に忘れてきてしまうことを防ぐものが発明されている。
【先行技術文献】
【特許文献】
【０００３】
【特許文献１】実開昭５２−６７５０９号  公報
【特許文献２】特許第５４８８４３２号  公報
【発明の概要】
【発明が解決しようとする課題】
【０００４】
これらの発明は、予め鞄から取出す手間を省いてはいても、背面に雨具があるためランドセルやリュックサックを背負った状態では、その取出し口を目視で確認することができない。そのため雨具を着用する場合には、必ず一度ランドセルやリュックサックを脱いで雨具を取出す必要があった。さらに取出して展開した後に、再度ランドセルやリュックサックを背負ってから雨具を着用する動作が必要であり、着用するまでに時間がかかるという課題があった。
【０００５】
さらに、雨具に使用される生地は通気性が悪く、木綿などでできた衣服とは異なり、折りたたんでも生地の中を空気が通り抜けることがなく、生地と生地との間に空気がたまりやすい。また撥水性も高く、生地自体が滑りやすいため、折り目をつけてたたんでも、たたんでいくにつれその折り目がずれてしまう事から、収納袋などに合わせて、薄く正確に折りたたむ事が難しい。特に低学年の児童にとって雨具を折りたたむことは苦手な場合が多いが、不器用な使用者が小さくたためない雨具を収納袋の蓋などを利用して、無理やり収納部へ押込んでしまう可能性もある（特許文献２参照）。
【０００６】
折りたたんだ状態の雨具の厚さは、折りたたむ回数と、折りたたんだ生地と生地との間隔に比例して増す。無理やり押込む場合は、折りたたむ回数が膨大に増えることと同じ状態になる上、さらに生地と生地との間に入り込んだ空気を十分に逃がすことができず収納される事になり、生地の間隔も大幅に増す。そのため生地の間の空気を逃がしながら、収納部の大きさに合わせて正確に折りたたむ場合に比べ、その厚さが極端に大きくなるため収納部が膨らんでしまい、見た目も悪くなるという課題もあった。
【課題を解決するための手段】
【０００７】
背負いかばんに固定する装着手段を持ち、該背負いかばんを背負った状態で、展開させることが可能な持ち手が取着されていることを特徴とするものである。
【０００８】
また、前記雨具を折りたたんだ状態を保つが、前記持ち手により前記雨具を展開させる場合には離れる着脱可能な保持手段を持つことを特徴とするものである。
【０００９】
さらに、前記雨具を折りたたむ折り目の両側または片側に、前記雨具の生地よりも硬質な部材を取着させ、前記雨具を折りたたんだ状態の開口部を、前記持ち手が取着されている方向に設けることを特徴とするものである。
【発明の効果】
【００１０】
背負いかばんを背負った状態で雨具の着用が可能なため、動作を大幅に削減することができ、より素早く雨具を着用する事ができる。また雨具を折りたたむ時も、薄く正確にたたむことができる。
【図面の簡単な説明】
【００１１】
【図１】本発明による雨具を平面状に開展させた状態を示す図である。
【図２】図１のＡ−Ａ断面図である。
【図３】本発明による雨具を折りたたむ状態を示す図である。
【図４】本発明による雨具をランドセルへ装着した状態を示す図である。
【図５】本発明による雨具を着用するための手順を示す図である。
【発明を実施するための形態】
【００１２】
本発明は、大人から子供まで利用でき、その効果を発揮する雨具を提供するものであるが、ここでは特にランドセルを背負った児童が着用する場合について説明する。
【００１３】
以下、本発明による実施の形態を図面を基に説明する。図１は本発明による雨具を平面状に開展させた状態を示す図であり、図２はそのＡ−Ａ断面図である。装着部１２は屈曲可能な材質とし、雨具１１の背中側に位置し、図２から見て下側から雨具１１と接している。折りたたみ位置１４ａ・１４ｃ・１４ｄ・１４ｅの４辺と装着部１２が重なる位置で、装着部１２は雨具１１と接合されている。雨具１１は頭からかぶるポンチョタイプとし、胸側の裾部に持ち手１３が取着されている。
【００１４】
着脱可能な保持部１５ａ・１５ｂが図２から見て雨具１１の下側から、保持部１５ｃ・１５ｄ・１５ｅが図２からみて雨具１１の上側からそれぞれ取着されている。同様に保持部１５ｆは図２からみて装着部１２の上側に取着されている。また雨具１１は、頭部を雨から守るフード１６ａと、フード１６ａを頭からかぶり着用した後に首元から雨の侵入を防ぐ前立て１６ｂを持つ。フード１６ａの額側と前立て１６ｂの根本側にも着脱可能な保持部１５ｇ・１５ｈが取着されており、雨具１１を折りたたむ前に、図２の様に保持部１５ｇを保持部１５ｈへ付着させることで、雨具１１を着用するときに、フード１６ａをかぶる動作も削減することが可能になる。
【００１５】
保持部１５ａ・１５ｂ・１５ｃ・１５ｄ・１５ｅ・１５ｆ・１５ｇ・１５ｈはいずれも、着脱可能な機能のついたものであればよく、面ファスナーや磁石、スナップなどの保持具を使用してもよい。該保持部の面積や数の増減をすることによって、該保持部の保持力を変更することも可能である。また、保持部１５ｇ・１５ｈの様に付着させる該保持部同士を同じ形状や同じ色にする事や、該保持部の傍にマークを付けるなどして、視覚的にも使用者が付着させる該保持部同士を判別するための補助の機能を持たせてもよい。
【００１６】
図３は本発明による雨具を折りたたむ状態を示す図である。折りたたみ位置１４ａを図１からみて谷折り、折りたたみ位置１４ｂを図１からみて山折りし、保持部１５ａを保持部１５ｂへ付着させることで、雨具１１の胸側を折りたたむことができる。次に折り紙の中割り折りの様に、折りたたみ位置１４ｂ付近にある保持部１５ｃを保持部１５ｄに付着させながら内側に折込む。この時に、雨具１１の生地よりも硬質な部材である補助２３ａ・２３ｂを折りたたみ位置１４ｆを基準に対称に取着することで、折りたたみ位置１４ｆ以外の位置では、補助２３ａ・２３ｂが取着されているため折りにくいのに対し、折りたたみ位置１４ｆは補助２３ａ・２３ｂの影響がなく折りやすくなる。あえて折りたたみにくい部分を設けることで、折りたたむ位置に制限を持たせることになり、毎回意図した同じ位置で折りたたむことが可能になる。したがって、補助２３ａ・２３ｂを合わせながら保持部１５ｃ・１５ｄを付着させると、図２の袖部２１側の様に、自然に中割り折りの形状にすることができる。さらにこの中割り折りをすると、折りたたんだ状態の開口部２４が持ち手１３を取着する方向を向く様になる。
【００１７】
さらに折りたたみ位置１４ｃで谷折りをし、袖部２１側を内側に折りたたんだ後、袖部２２側も同様に中割り折り後、折りたたみ位置１４ｄで内側に折りたためば、折りたたみ状態の開口部２４は、持ち手１３が取着されている方向と、前記方向の１８０度逆方向の２方向を向く。さらに折りたたみ位置１４ｅの位置で谷折りし、保持部１５ｅを保持部１５ｆへ付着させることにより、折りたたんだ状態の開口部２４は、持ち手１３の取着されている方向を向くことになり、雨具１１の生地の間に空気がたまっいる場合でも、折りたたみ位置１４ｅから持ち手１３の方向に空気を逃がしながら折りたたむ事が可能になるため、その結果折りたたみ回数も減り、生地の間隔も狭くなり、より雨具１１を薄く折りたたむことができる。
【００１８】
図４は本発明による雨具をランドセルへ装着した状態を示す図である。ランドセル３１のカブセ３２の外側へ装着部１２を装着する。その装着手段は、カブセ３２の開け閉めなどの際に、装着部１２が外れてしまうことがないようにカブセ３２へ装着できていれば、その装着方法はいずれでもよく、ベルトで締めて固定しても、ボタンで留めても、紐などで固縛しても、これら複数の方法を組合わせてもよい。
【００１９】
折りたたまれた雨具１１の状態ではその上側に持ち手１３が位置する。持ち手１３はランドセル３１を背負った状態でも肩越しに見ることができるが、目視確認をしなくても腕を肩越しに背中側へ回した状態で、手探りでも持ち手１３を確認し、つかむことも可能である。持ち手１３は目視によらなくても手で触れて持ち手１３だと確認できればよい。そのため、雨具１１の生地と比較して厚さや形状、手触り等が異なっていれば、穴形状や突起形状など、いずれの形態に変更してもよい。
【００２０】
図５は本発明による雨具を着用するための手順を示す図である。雨具１１を着用する場合は、持ち手１３をつかんだ腕を、上に引上げながら前方へ腕を倒す。折りたたみ時に、持ち手１３が取着された雨具１１の胸側の部分５１の上に、袖部２１・２２がある側面の部分５２が前記胸側の部分５１の上に、保持部１５ｅが取着された背中側の部分５３が前記側面の部分５２の上にさらに折り重ねる形になっている。持ち手１３を引上げる動作を行うと、前記胸側の部分５１の上に折り重なっている前記側面の部分５２と前記背中側の部分５３も一緒に押し上げられる。押し上げられるに伴い、保持部１５ｅ・１５ｆの付着された状態が離れるため、前記背中側の部分５３は折りたたみ位置１４ｅを支点に下方へ展開し、前記側面の部分５２も折りたたみ位置１４ｃ・１４ｄを支点に両側面側へ展開する形になり、それらの動作と持ち手１３を前方に倒し雨具１１を頭からかぶる動作することで、雨具１１展開し着用することができる。
【００２１】
また、図２の様に雨具１１を折りたたむ前に保持部１５ｇ・１５ｈを付着させている場合は、頭からかぶる動作によりフード１６ａを頭にかぶることができるが、前立て１６ｂはさらに胸側に下方へ移動するため、保持部１５ｇ・１５ｈの付着状態が離れるため、フード１６の着用も可能にすることができる。
【００２２】
以上の効果により、背負かばんを背負った状態で雨具１１を装着することが可能なため、ランドセル３１を脱ぎ、再び背負うという従来の動作を省略できる。さらに、持ち手１３を手でつかみ上に引張りながら前方へおろす一つの動作が、雨具１１を展開してから着用するまでの動作に置換えることができる。そのため雨具の着用するまでの動作を大幅に削減することが可能になり、より素早く雨具を着用する事ができる。
【００２３】
その上雨具の折りたたむ部分の開口部２４を、持ち手１３を取着する方向へ向けることで、開口部により空気を巻き込みながら、雨具１１の展開が容易になりより素早く着用することができる。
【符号の説明】
【００２４】
１１雨具
１２装着部
１３持ち手
１４ａ折りたたみ位置
１４ｂ折りたたみ位置
１４ｃ折りたたみ位置
１４ｄ折りたたみ位置
１４ｅ折りたたみ位置
１４ｆ折りたたみ位置
１５ａ保持部
１５ｂ保持部
１５ｃ保持部
１５ｄ保持部
１５ｅ保持部
１５ｆ保持部
１５ｇ保持部
１５ｈ保持部
１６ａフード
１６ｂ前立て
２１袖部
２２袖部
２３ａ補助
２３ｂ補助
２４開口部
３１ランドセル
３２カブセ
５１胸側の部分
５２側面の部分
５３背中側の部分
【図１】
2019206766.tif 000003
【図２】
2019206766.tif 000004
【図３】
2019206766.tif 000005
【図４】
2019206766.tif 000006
【図５】
2019206766.tif 000007